(57)【特許請求の範囲】
【請求項１】
ボトルと結合して使用可能な離乳クリップであって、
蓋組立体と、支持部と、パッド部とを含み、
前記蓋組立体の上部と下部か開放され、前記蓋組立体の外側面は、円筒状又は上広下狭に形成され、前記蓋組立体の内側面は、前記外側面と同じく、円筒状又は上広下狭に形成され、前記蓋組立体には、前記蓋組立体の内側面に連結されている中空円板状の支持板が形成され、前記支持板の下部面には、前記支持板の内側面の径と同一径を有する中空円板状の支持脚結合鍔が形成され、前記 支持板の下部面には、前記支持脚結合鍔の径よりは大きく、前記外側面の径よりは小さいサイズの径を有する中空円筒状のボトル結合支持台が形成され、前記支持脚結合鍔とボトル結合支持台との間には、多数の孔が開口されており、前記蓋組立体の下部内側面に沿って、ネジ山が形成されており、
前記支持部は、前記支持板の上部面に位置し、中空円板状からなり、前記 支持部の下部面には、下部進行方向に突出した少なくとも２以上の支持脚で構成され、前記支持脚の外側面の一側には、中心から径方向に突設した係止突起が構成され、前記支持脚結合鍔の下部面に前記係止突起が嵌合され、
前記パッド部は、前記蓋組立体の上部内側面を覆い、前記パッド部の中心部には、前記支持部と結合される支持脚貫通孔が形成され、前記支持脚貫通孔は、前記支持脚が、上部から下部方向に貫通して嵌合するように形成されていることを特徴とする離乳クリップ。
【請求項２】
前記パッド部の中心部には、ストローが挿入可能な十字又は一字状のストロー挿入孔が形成されていることを特徴とする請求項１に記載の離乳クリップ。
【請求項３】
前記パッド部の前記支持部を中心に、前記支持部の内側に位置する中心パッドと、前記支持部を中心に前記支持部の外側に位置する周縁パッドとから構成され、前記中心パッドは、前記支持部に着脱自在に構成されることを特徴とする請求項１に記載の離乳クリップ。
【請求項４】
前記パッド部の中心部には、ストローが挿入可能な十字又は一字状のストロー挿入孔が形成されていることを特徴とする請求項３に記載の離乳クリップ。
【請求項５】
更に、前記支持部の内側面には、前記支持部の中心方向に突設され、前記中心パッドと嵌合する中心パッド結合突起が含まれることを特徴とする請求項３に記載の離乳クリップ。
【請求項６】
更に、ストローと、中空円筒状であって、前記ストローの外側の一側面を取り囲み、外側面に溝が形成されているストロー支持台とから構成され、前記中心パッドの代わりに、前記中心パッド結合突起と嵌合するストロー組立体が含まれることを特徴とする請求項５に記載の離乳クリップ。
【請求項７】
更に、前記蓋組立体の上部を覆う蓋状の蓋体部が含まれることを特徴とする請求項１乃至請求項６のいずれか一項に記載の離乳クリップ。
【請求項８】
更に、中空円筒状であって、前記蓋組立体の下部内側面に形成されているネジ山に対応して、外側面の上部にネジ山が形成され、内側面の下部は、ボトル口の外側面に形成されるネジ山に対応するネジ山が形成されたアダプターが含まれることを特徴とする請求項１乃至請求項６のいずれか一項に記載の離乳クリップ。
【請求項９】
前記アダプターの内側面の下部の径は、ボトル口の外側径に対応することを特徴とする請求項８に記載の離乳クリップ。
【請求項１０】
更に、前記蓋組立体の外側面の下部に結合され、中空円筒状の本体部と、前記本体部の一側から下方外側に曲線を成して折り曲げられる少なくとも１つ以上の取っ手とから構成される取っ手部を含まれることを特徴とする請求項１乃至請求項６のいずれか一項に記載の離乳クリップ。
【請求項１１】
前記蓋組立体の外側面の下部にネジ山が形成され、前記取っ手部の内側面にも、これに対応するネジ山が形成されて、螺合することを特徴とする請求項１０に記載の離乳クリップ。
【請求項１２】
更に、前記蓋組立体とボトル口との間に位置し、中空円筒状の本体部と、前記本体部の一側から下方外側に曲線を成して折り曲げられる少なくとも１つ以上の取っ手とから構成され、前記本体部の内側面には、前記ボトル口のネジ山に対応するネジ山が形成されて螺合する取っ手部が含まれることを特徴とする請求項１乃至請求項６のいずれか一項に記載の離乳クリップ。
【請求項１３】
更に、前記蓋組立体の上部を覆う蓋状の蓋体部が含まれることを特徴とする請求項１０に記載の離乳クリップ。
【請求項１４】
更に、中空円筒状であって、前記蓋組立体の下部内側面に形成されているネジ山に対応して、外側面の上部にネジ山が形成され、内側面の下部は、ボトル口の外側面に形成されるネジ山に対応するネジ山が形成されたアダプターが含まれることを特徴とする請求項１０に記載の離乳クリップ。
【請求項１５】
前記アダプターの内側面の下部の径は、ボトル口の外側径に対応することを特徴とする請求項１４に記載の離乳クリップ。
【請求項１６】
更に、前記蓋組立体の上部を覆う蓋状の蓋体部が含まれることを特徴とする請求項１２に記載の離乳クリップ。
【請求項１７】
更に、中空円筒状であって、前記蓋組立体の下部内側面に形成されているネジ山に対応して、外側面の上部にネジ山が形成され、内側面の下部は、ボトル口の外側面に形成されるネジ山に対応するネジ山が形成されたアダプターが含まれることを特徴とする請求項１２に記載の離乳クリップ。
【請求項１８】
前記アダプターの内側面の下部の径は、ボトル口の外側径に対応することを特徴とする請求項１７に記載の離乳クリップ。
【請求項１９】
前記支持部と中心パッドの代わりに、内部にある水が外部に流出することを防止するためのボールパッド支持部で構成されることを特徴とする請求項３に記載の離乳クリップ。
【請求項２０】
更に、前記蓋体部の側面の一側には、径方向に突出し、内部は開口され、内側に向けて、係止突起が形成された係止手段を含むことを特徴とする請求項７に記載の離乳クリップ。
【請求項２１】
更に、中空円筒状であって、前記蓋組立体の下部内側面に形成されているネジ山に対応して、外側面の上部にネジ山が形成され、内側面の下部は、ボトル口の外側面に形成されるネジ山に対応するネジ山が形成されたアダプターが含まれることを特徴とする請求項２０に記載の離乳クリップ。
【請求項２２】
更に、前記蓋組立体とアダプターとの間にリング状に位置し、前記アダプターの外径に対応する内径を有し、側面の一側には、径方向に突出し、内部が開口され、前記係止手段の係止突起が挿入される係止溝が形成された係止部を含むことを特徴とする請求項２１に記載の離乳クリップ。
【請求項２３】
更に、前記蓋体部の側面の一側には、径方向に突出し、内部は開口され、内側に向けて係止突起が形成された係止手段を含むことを特徴とする請求項１３に記載の離乳クリップ。
【請求項２４】
更に、中空円筒状であって、前記蓋組立体の下部内側面に形成されているネジ山に対応して、外側面の上部にネジ山が形成され、内側面の下部は、ボトル口の外側面に形成されるネジ山に対応するネジ山が形成されたアダプターが含まれることを特徴とする請求項２３に記載の離乳クリップ。
【請求項２５】
更に、前記蓋組立体とアダプターとの間にリング状に位置し、前記アダプターの外径に対応する内径を有し、側面の一側には、径方向に突出し、内部が開口され、前記係止突起が挿入される係止溝が形成された係止部を含むことを特徴とする請求項２４に記載の離乳クリップ。
【請求項２６】
更に、前記蓋体部の側面の一側には、径方向に突出し、内部は開口され、内側に向けて係止突起が形成された係止手段を含むことを特徴とする請求項１６に記載の離乳クリップ。
【請求項２７】
更に、中空円筒状であって、前記蓋組立体の下部内側面に形成されているネジ山に対応して、外側面の上部にネジ山が形成され、内側面の下部は、ボトル口の外側面に形成されるネジ山に対応するネジ山が形成されたアダプターが含まれることを特徴とする請求項２６に記載の離乳クリップ。
【請求項２８】
更に、前記蓋組立体とアダプターとの間にリング状に位置し、前記アダプターの外径に対応する内径を有し、側面の一側には、径方向に突出し、内部が開口され、前記係止突起が挿入される係止溝が形成された係止部を含むことを特徴とする請求項２７に記載の離乳クリップ。
【発明の詳細な説明】
【技術分野】
【０００１】
本発明は、離乳クリップに関し、より詳しくは、乳児や体の調子が悪い人間だけでなく、誰でも使用可能なものであって、生水や飲料水などが入ったボトルに、蓋の代わりに装着されて、口につけて飲むか、ストローを用いて、ボトル内の内容物を摂取するようにする離乳クリップにおいて、ボトル口の径に無関係に装着可能なアダプターを含んで構成される離乳クリップに関する。
【背景技術】
【０００２】
一般に、乳児や子供に向けて、ストロー機能を備えた様々な種類のストロー飲料ボトルが市販されているが、このような従来のストロー飲料ボトルは、ストローが固定装着されているか、分離可能なストローであっても、飲料ボトル本体から取り外し難いため、洗浄などが困難である上に、たとえ、分離洗浄が可能であっても、薄くて長いストローの内部をきれいに洗浄することは困難であるという問題があった。
【０００３】
これに、日本国特開平11-240550号公報と日本特開2003-54601号公報などのように、飲料ボトルのボトル首に備えられるストローケースが開示されている。ここで、前記ストローケースは、蓋体とストローを有するケース本体が、飲料ボトルの蓋体の代りに飲料ボトルの首部に装着された状態で、製品と共に提供される指定ストローがボトルの内部に備えられるように、前記ケース本体のストローに連結されて、乳児や子供の容易な飲料摂取を可能せしめると共に、飲料ボトルから分離されるケース本体の洗浄や消毒による衛生的な使用を可能せしめる。
【０００４】
しかし、従来のストローケースは、前記ケース本体に飲料ボトルの首部に装着されるように、ネジ山を有する決着部が特定の飲料ボトルのボトル首サイズに対応するサイズを有するため、たとえ、乳児や子供がボトル首サイズの異なる飲み物を飲むようとする場合は、該当飲料ボトルに適用できないという不都合がある。
【０００５】
これに、韓国登録実用新案第20-0464831号では、一般に販売されるツイスト型飲料ボトルの場合、ボトル首の外径又は蓋体の内径が２８mm又は３０mmの径を有するので、前記のように２種類のボトル首にも簡便にストローケースが適用可能なストローケース用アダプターを提示している。
【０００６】
しかし、前記韓国登録実用新案第20-0464831号においても、ストローを使用することに当たり、ストローがケースの上部に固定されており、下部にストローを装着するので、ボトルの長さによって、ストローの使用が制限され、また、ボトル首のサイズが様々であるが、２８mm又は３０mmの径を有するボトルだけが使用可能であり、また、前記ストローがなくては使用不能であり、前記ストローが使用できない乳児の場合、使用不能であるという問題点を依然として有していた。
【発明の概要】
【発明が解決しようとする課題】
【０００７】
本発明は、前記のような問題点を解決するために案出されたものであって、従来使用しているストローを、長さを調節することなく、そのまま使用可能な離乳クリップを提供することにある。
【０００８】
本発明の他の目的は、ストローを使用しなくても、口につけて飲めるだけでなく、ボトル内に入っている内容物が、ボトルが転倒しても流れ出なく、乳児や患者が有用に使用可能な離乳クリップを提供することにある。
【課題を解決するための手段】
【０００９】
前記のような問題点を解決するために、本発明による離乳クリップは、ボトルと結合して使用可能な離乳クリップであって、上部と下部が開放され、外側面は、円筒状又は上広下狭及び多角状に形成され、内側面は、前記外側面と同じく、円筒状又は上広下狭に形成され、内側面に連結されている中空円板状の支持板が形成され、前記支持板の下部面には、前記支持板の内側の径と同一径を有する中空円筒状の支持脚結合鍔が形成され、前記支持脚結合鍔の径よりは大きく、前記外側面の径よりは小さいサイズの径を有する中空円筒状のボトル結合支持台が形成されており、前記支持脚結合鍔とボトル結合支持台との間には、多数の孔が開口されており、下部内側面に沿って、ネジ山が形成されている蓋組立体と、前記支持板の上部面に位置し、中空円板状からなり、下部面には、下部進行方向に突出した少なくとも２以上の支持脚で構成され、前記支持脚の外側面の一側には、中心から径方向に突設した係止突起で構成され、前記支持脚結合鍔の下部面に前記係止突起が嵌合される支持部と、前記蓋組立体の上部内側面を覆い、中心部には、前記支持部と結合され、前記支持脚が、上部から下部方向に貫通して嵌合するように形成されている支持脚貫通孔が設けられているパッド部とを含むことを特徴とする。
【００１０】
前記パッド部の中心部には、ストローが挿入可能な十字又は一字状のストロー挿入孔が形成されていることを特徴とする。
【００１１】
前記パッド部の前記支持部を中心に、前記支持部の内側に位置する中心パッドと、前記支持部を中心に前記支持部の外側に位置する周縁パッドとから構成され、前記中心パッドは、前記支持部に着脱自在に構成されることを特徴とする。
【００１２】
ここで、前記支持部の内側面には、前記支持部の中心方向に突設され、前記中心パッドと嵌合する中心パッド結合突起が含まれることを特徴とする。
【００１３】
更に、ストローと、中空円筒状であって、前記ストローの外側の一側面を取り囲み、外側面に溝が形成されているストロー支持台とから構成され、前記中心パッドの代わりに、前記中心パッド結合突起と嵌合するストロー組立体が含まれることを特徴とする。
【００１４】
更に、前記蓋組立体の外側面の下部に結合され、中空円筒状の本体部と、前記本体部の一側から下方外側に曲線を成して折り曲げられる少なくとも１つ以上の取っ手とから構成される取っ手部を含まれることを特徴とする。
【００１５】
前記蓋組立体の外側面の下部にネジ山が形成され、前記取っ手部の内側面にも、これに対応するネジ山が形成されて、螺合することを特徴とする。
【００１６】
更に、前記蓋組立体とボトル口との間に位置し、中空円筒状の本体部と、前記本体部の一側から下方外側に曲線を成して折り曲げられる少なくとも１つ以上の取っ手とから構成され、前記本体部の内側面には、前記ボトル口のネジ山に対応するネジ山が形成されて螺合する取っ手部が含まれることを特徴とする。
【００１７】
更に、前記蓋組立体の上部外側面の径に対応する内側の径を有し、上部は閉鎖され、下部は開閉されて、前記蓋組立体の上部を覆う蓋状の蓋体部が含まれることを特徴とする。
【００１８】
更に、中空円筒状であって、前記蓋組立体の下部内側面に形成されているネジ山に対応して、外側面の上部にネジ山が形成され、内側面の下部は、ボトル口の外側面に形成されるネジ山に対応するネジ山が形成されたアダプターが含まれることを特徴とする。
【００１９】
前記アダプターの内側面の下部の径は、ボトル口の外側径に対応することを特徴とする。
【発明の効果】
【００２０】
本発明によると、従来使用している使い捨てストローを、長さ調節とボトルのサイズによる制限なく、そのまま使用することができる。
【００２１】
また、ストローを使用しなくても、口につけて飲めるだけでなく、ボトル内に入っている内容物が、ボトルが倒れても流れ出なく、乳児や患者が有用に使用することができる。
【図面の簡単な説明】
【００２２】
【図１】図１は、本発明の１実施例によるワンパッド形態の離乳クリップの分解斜視図である。
【図２】図２は、本発明の１実施例によるツパッド形態の離乳クリップの分解斜視図である。
【図３】図３は、本発明の１実施例によるボトルと結合された離乳クリップの斜視図である。
【図４】図４は、本発明の１実施例によるツパッド形態の離乳クリップの断面図である。
【図５】図５は、本発明の１実施例によるアダプターが更に構成された離乳クリップの断面図である。
【図６】図６は、本発明の１実施例によるアダプターが更に構成された離乳クリップの正面図である。
【図７】図７は、本発明の１実施例によるストロー組立体が結合された離乳クリップの断面図である。
【図８】図８は、本発明の１実施例によるストロー組立体が結合された離乳クリップの斜視図である。
【図９】図９は、本発明の１実施例による一体型取っ手部が結合された離乳クリップの断面図である。
【図１０】図１０は、本発明の１実施例による分離型取っ手部が結合された離乳クリップの断面図である。
【図１１】図１１は、本発明の他の実施例による離乳クリップの分解斜視図である。
【発明を実施するための形態】
【００２３】
以下で、本発明の具体的な実施例を、図面を参照して詳述することにする。
【００２４】
図１は、本発明の１実施例によるワンパッド形態の離乳クリップの分解斜視図、図２は、本発明の１実施例によるツパッド形態の離乳クリップの分解斜視図、図３は、本発明の１実施例によるボトルと結合された離乳クリップの斜視図、図４は、本発明の１実施例によるツパッド形態の離乳クリップの断面図、図５は、本発明の１実施例によるアダプターが更に構成された離乳クリップの断面図、図６は、本発明の１実施例によるアダプターが更に構成された離乳クリップの正面図、図７は、本発明の１実施例によるストロー組立体が結合された離乳クリップの断面図、図８は、本発明の１実施例によるストロー組立体が結合された離乳クリップの斜視図、図９は、本発明の１実施例による一体型取っ手部が結合された離乳クリップの断面図、図１０は、本発明の１実施例による分離型取っ手部が結合された離乳クリップの断面図である。
【００２５】
図１〜図１０を参照すると、本発明による離乳クリップは、ボトルと結合して使用可能な離乳クリップであって、上部と下部が開放され、外側面は、円筒状又は上広下狭及び多角状に形成され、内側面は、前記外側面と同じく、円筒状又は上広下狭に形成され、内側面に連結されている中空円板状の支持板２１０が形成され、前記支持板２１０の下部面には、前記支持板２１０の内側の径と同一径を有する中空円筒状の支持脚結合鍔２２０が形成され、前記支持脚結合鍔２２０の径よりは大きく、前記外側面の径よりは小さい径を有する中空円筒状のボトル結合支持台２３０が形成され、前記支持脚結合鍔２２０とボトル結合支持台２３０との間には、多数の孔２４０が開口されており、下部の内側面に沿って、ネジ山２５０が形成されている蓋組立体２００と、前記支持板２１０の上部面に位置し、中空円板状であり、下部面には、下部進行方向に突出した少なくとも２以上の支持脚４１０で構成され、前記支持脚４１０の外側面の一側には、中心から径方向に突設した係止突起４２０で構成され、前記支持脚結合鍔２２０の下部面に、前記係止突起４２０が嵌合される支持部４００と、前記蓋組立体２００の上部内側面を覆い、中心部には、前記支持部４００と結合され、前記支持脚４１０が、上部から下部方向に貫通して嵌合する支持脚貫通孔３１２が形成されているパッド部３００とを含む。
【００２６】
ここで、前記パッド部３００は、前記支持部４００に嵌合することなく、前記蓋組立体２００に密着固定することもできる。そのためには、前記パッド部３００が前記蓋組立体２００の上部内側面だけを覆わず、前記支持脚結合鍔２２０の内側面と密着固定できるように接する部分が更に形成され、前記パッド部３００と支持部４００の別の構成が１つの構成として、前記蓋組立体２００に密着固定することができる。
【００２７】
また、前記パッド部３００の中心部には、使い捨てストローが挿入可能な十字又は一字状のストロー挿入孔３１１が形成されている。
【００２８】
使用者が前記離乳クリップ１００を使用する方法は、前記蓋組立体２００を、ペットボトル９００の入口に設けられているネジ山２５０と螺合させる。螺合された後では、前記ペットボトル９００が転倒して転がっても、前記ペットボトル９００中に入っている内容物が流れ出ない。これは、前記蓋組立体２００の上部内側面を覆っている前記パッド部３００のためである。前記パッド部３００は、可撓性の弾性材質で構成されて、前記蓋組立体２００の上部内側面を密着させている。そこで、前記ペットボトル９００が転倒して転がっても、前記ペットボトル９００内に入っている内容物が流れ出ない。
【００２９】
前記離乳クリップ１００が結合した前記ペットボトル９００内に入っている内容物を飲むためには、前記ペットボトル９００を傾ける。すると、前記ペットボトル９００内に入っていた内容物が、前記支持脚結合鍔２２０とボトル結合支持台２３０との間に設けられている多数の孔２４０を通じて流れ出る。しかし、未だ、前記パッド部３００が前記蓋組立体２００の上部内側面を覆っていて流れ出ない。そこで、内容物を飲むためには、使用者が更なる行動をしなければならない。
【００３０】
更なる行動としては、上唇は、前記パッド部３００に位置し、下唇は、前記蓋組立体２００の外側面に位置させ、使用者が口を閉じながら、前記パッド部３００を押しながら吸い付ける。この時、前記パッド部３００が可撓性の性質を有するので、前記上唇で前記パッド部３００の一側を押すことになると、押された部分は、前記蓋組立体２００と密着されるが、その周辺部分は浮上していて、その隙間に内容物が流出し、より容易に飲めるように吸い付けると、容易に飲めることになる。
【００３１】
そして、使用者が飲み終わった後、唇を離すことになると、前記パッド部３００は、再度隙間がないように、前記蓋組立体２００の上部内側面を覆うことになり、前記ペットボトル９００内にあった内容物は、再度出ないようになる。
【００３２】
ここで、より便利に前記ペットボトル９００内にある内容物を飲むためには、前記使い捨てストローを使うことができる。前記使い捨てストローの場合、周辺によくあるいずれかを使ってもよい。周辺にある前記使い捨てストローを、前記パッド部３００の中心部に形成されている十字又は一字状のストロー挿入孔３１１に挿入すれば済む。それから、使用者が前記使い捨てストローを用いて吸って飲めば良い。前記ストロー挿入孔３１１の厚みが薄い場合、密閉力が多少落ちることがあり、前記ペットボトル９００が転倒して転がると、中に入っていた内容物が流出することがあるので、厚く形成するのが望ましい。
【００３３】
従来のストローケースの場合は、前記使い捨てストローを前記ペットボトル９００の深さに合わせて切って使わなければならないという不都合があったが、本発明の一実施例の場合は、前記ストロー挿入孔３１１を介して、前記使い捨てストローを上下に貫通して使用するので、前記使い捨てストローのサイズによらず、前記ペットボトル９００の深さだけ入れ、残りは、そのまま使えば良いので、便利に使用することができる。
【００３４】
また、一般に野外で用いる場合、前記使い捨てストローを多く使用するか、室内でさえ前記使い捨てストローを使用する場合、環境汚染の問題となり得る。そのため、室内では、使い捨て製品ではなく、シリコン材質で形成された前記ストロー５１０を使用するのが望ましい。野外では、前記ストロー５１０を使用し洗浄するのが容易ではないため、使い捨てストローを使うが、室内では、いくらでも洗浄と殺菌を通じて、より衛生的に前記ストロー５１０を使うことができるためである。そこで、本発明は、前記パッド部３００を２つの部分に分けて構成する方法も提示している。
【００３５】
前記パッド部３００の前記支持部４００を中心に、前記支持部４００の内側に位置する中心パッド３１０と、前記支持部４００を中心に、前記支持部４００の外側に位置する周縁パッド３３０とから構成され、前記中心パッド３１０は、前記支持部４００に着脱自在に構成され、前記中心パッドには、前記使い捨てストローが挿入可能な十字又は一字状のストロー挿入孔が設けられている。
【００３６】
ここで、前記支持部４００の内側面には、前記支持部４００の中心方向に突設され、前記中心パッド３１０と嵌合可能な中心パッド結合突起３２０を更に含む。
【００３７】
また、前記ストローと、前記ストローの外側の一側面を取り囲み、外側面に溝が設けられているストロー支持台５２０とから構成され、前記中心パッド３１０の代わりに、前記中心パッド結合突起３２０と嵌合して構成されるストロー組立体５００を更に含む。
【００３８】
前記パッド部３００を２つの部分に分けて、前記中心パッド３１０と周縁パッド３３０とから構成している。前記中心パッド３１０は、前記支持部４００に設けられている前記中心パッド結合突起３２０と嵌合によって着脱自在であり、前記周縁パッド３３０は、１つに構成されていたパッド部３００と同一の位置で同じ機能をし、前記支持部４００によって固定される。
【００３９】
前記パッド部３００が２つの部分に分けられても、前記離乳クリップ１００を用いて飲む方法は同様であり、前記使い捨てストローを用いて吸って飲む方法も、前記中心パッド３１０に前記ストロー挿入孔３１１を形成し、前記ストロー挿入孔３１１に前記使い捨てストローを挿入して飲んでも良い。
【００４０】
前記ストロー組立体５００は、前記ストロー５１０と、前記ストロー５１０の外側面一側に設けられ、前記ストロー５１０が、前記中心パッド結合突起３２０と嵌合するように、溝が形成された前記ストロー支持台５２０とから構成されている。前記ストロー支持台５２０は、前記中心パッド結合突起３２０と嵌合して、前記ストロー５１０を固定する役目だけでなく、弾性材質で構成されており、前記ストロー組立体５００と前記支持部４００との間に、前記ペットボトル９００内に入っている内容物が流れ出ることを防止する役目を働くことになる。
【００４１】
また、前記離乳クリップ１００を使用することに当たり、前記ペットボトル９００を取り易くない乳児や体の調子が悪い大人が容易に使用できるように、前記取っ手部６００を更に含む。
【００４２】
前記取っ手部６００の場合は、前記離乳クリップ１００と一体型に構成するか、あるいは分離型であって、前記ペットボトル９００の入口に形成されているネジ山２５０と螺合するようにすることもできる。
【００４３】
前記取っ手部６００が前記離乳クリップ１００と一体型に構成されるためには、前記蓋組立体２００の外側面の下部に結合され、中空円筒状の本体部６１０と、前記本体部６１０の一側から下方外側に曲線を成して折曲げられる少なくとも１以上の取っ手６２０とから構成される取っ手部６００を含み、前記蓋組立体２００の外側面の下部に前記ネジ山２５０が設けられており、前記取っ手部６００の内側面にも、これに対応する前記ネジ山２５０が形成されて螺合される。
【００４４】
そして、前記取っ手部６００が前記蓋組立体２００と別に構成される場合は、前記蓋組立体２００とボトル９００の入口の間に位置し、中空円筒状の本体部６１０と、前記本体部６１０の一側から下方外側に曲線を成して折り曲げられる少なくとも１以上の取っ手６２０とから構成され、前記本体部６１０の内側面には、前記ペットボトル９００の入口の前記ネジ山２５０に対応する前記ネジ山２５０が形成されて螺合する取っ手部６００を含む。
【００４５】
この時、前記取っ手部６００が一体型の場合、前記蓋組立体２００と、分離型の場合、前記ペットボトル９００の入口と螺合することもできるが、前記ネジ山２５０が形成されていなく、前記蓋組立体２００やペットボトル９００の入口への嵌合も可能である。
【００４６】
更に、前記蓋組立体２００の上部外側面の径に対応する内側の径を有し、上部は閉鎖され、下部は開閉されて、前記蓋組立体２００の上部を覆う蓋形態の蓋体部７００を更に含む。前記蓋体部７００の場合、前記離乳クリップ１００を使わない時、埃や異物から前記パッド部３００を保護するために使う。前記パッド部３００が前記蓋組立体２００と支持部４００から分離され、別に洗浄が可能であるが、野外でのように洗浄が容易でない状態では、長期間清潔を維持するために、前記蓋体部７００で前記蓋組立体２００を覆って、前記パッド部３００の清潔を維持するのが望ましい。
【００４７】
そして、一般に、国内で使われる前記ペットボトル９００の入口サイズは、３種類以上となる。そうであるとしても、前記離乳クリップ１００を、前記ペットボトル９００のサイズ別に作ることになると、持ち歩くことが不便になるので、最大サイズの前記ペットボトル９００の入口サイズに合わせて、前記蓋組立体２００の内側下部の径で構成し、これよりも小さい入口サイズを有する前記ペットボトル９００の場合は、中空円筒状であって、前記蓋組立体２００の下部内側面に形成されている前記ネジ山２５０に対応して、外側面の上部に前記ネジ山２５０が形成されており、内側面の下部は、前記ボトル９００の入口の外側面に形成される前記ネジ山２５０に対応する前記ネジ山２５０が形成されたアダプター８００を更に含む。
【００４８】
前記アダプター８００の場合は、複数種類の径の異なるペットボトル９００のサイズに合わせて形成され、更に、前記ペットボトル９００ではく、ガラスボトル９００の入口に挿入されるように、前記アダプター８００の内側面の下部には、前記ネジ山２５０ではなく、前記ガラスボトル９００と着脱可能であるように、弾性材質で構成されることができる。
【００４９】
前記離乳クリップ１００は、前述したように、前記蓋組立体２００と、パッド部３００と、支持部４００とがそれぞれ分離・結合が可能であり、洗浄が容易であって、常時清潔に使用することができる。結合手順は、前記支持部４００の支持脚４１０が前記パッド部３００の支持脚貫通孔３１２に嵌合し、前記支持部４００の支持脚４１０の一側に形成されている前記係止突起４２０が、前記蓋組立体２００の支持脚結合鍔２２０と嵌合して固定される。分離の場合は、結合過程と逆である。
【００５０】
また、前記離乳クリップ１００は、前記ストロー組立体５００、取っ手部６００、蓋体部７００、及びアダプター８００と個別的に、必要によって、使用者が選択結合して使用することができる。
【００５１】
図１１を参照して、ボールパッド支持部９１０と、係止手段９２０と、係止部９３０の構成を説明する。
【００５２】
前記支持部４００と中心パッド３１０の代わりに、前記ペットボトル９００の内部にある水や飲料が外部に流出することを防止するために、前記ボールパッド支持部９１０から構成される。前記ボールパッド支持部９１０は、基本的には、前述した前記支持部４００と類似した外形を有する。前記支持部４００と同様に、前記支持脚と係止突起９２１を構成するが、前記中空円板状の場合は、上部が閉鎖されている。ここで、前記上部には、下方に一定の深さの溝９１２が形成され、前記溝９１２の側面又は下面には、空気が通じるようにする通孔が少なくとも１以上形成され、前記溝９１２の内部には、前記溝９１２の内径に対応する外径を有し、前記ペットボトル９００の内部にある水や飲料が外部に流出することを防止するためのボール９１３と、前記溝９１２の上部を覆って、前記ボール９１３が外部に離脱しないようにする蓋体９１１とからなっている。
【００５３】
また、前記蓋体部７００の側面一側には、径方向に突出し、内部は開口しており、内側に向けて係止突起９２１が設けられた係止手段９２０を更に構成し、前記係止手段９２０が付設された前記蓋体部７００を効果的に保管するために、前記蓋組立体２００とアダプター８００との間にリング状に位置し、前記アダプター８００の外径に対応する内径を有し、側面の一側には、径方向に突出し、内部が開口しており、前記係止突起９２１が挿入可能な係止溝９３１が形成された係止部９３０を更に構成することになる。
【００５４】
前記蓋体部７００を取り外し、前記パッド部３００やストロー組立体５００を用いて、前記ペットボトル９００内の水や飲料を飲むとき、前記係止部９３０に前記蓋体部７００を嵌合して保管すれば良い。
【００５５】
以上では、本発明の技術的思想に対する理解を助けるために、添付の図面と共に述べたが、これは、本発明の望ましい実施形態を例示的に説明したことに過ぎず、これに限られるものではなく、本発明の技術的思想の範疇を逸脱しない範囲内で、様々な変形や置換などによる他の実施例が可能であることは、本発明が属する技術の分野における通常の知識を有する者にとって明白であるだろう。
【産業上の利用可能性】
【００５６】
本発明は、ストローを使わなくても、口につけて飲めるだけでなく、ボトル内に入っている内容物が、ボトルが転倒して転がっても流れ出なくて、乳児や患者が有用に利用することができる。
【符号の説明】
【００５７】
１００  離乳クリップ
２００  蓋組立体
２１０  支持板
２２０  支持脚結合鍔
２３０  ボトル結合支持台
２４０  孔
２５０  ネジ山
３００  パッド部
３１０  中心パッド
３１１  ストロー挿入孔
３１２  支持脚貫通孔
３２０  中心パッド結合突起
３３０  周縁パッド
４００  支持部
４１０  支持脚
４２０  係止突起
５００  ストロー組立体
５１０  ストロー
５２０  ストロー支持台
５３０  溝
６００  取っ手部
６１０  本体部
６２０  取っ手
７００  蓋体部
８００  アダプター
９００  ボトル
９１０  ボールパッド支持部
９１１  蓋体
９１２  溝
９１３  ボール
９２０  係止手段
９２１  係止突起
９３０  係止部
９２１  係止溝
【図１】
0006291075.tif 000002
【図２】
0006291075.tif 000003
【図３】
0006291075.tif 000004
【図４】
0006291075.tif 000005
【図５】
0006291075.tif 000006
【図６】
0006291075.tif 000007
【図７】
0006291075.tif 000008
【図８】
0006291075.tif 000009
【図９】
0006291075.tif 000010
【図１０】
0006291075.tif 000011
【図１１】
0006291075.tif 000012